【手続補正書】
【提出日】平成19年2月6日(2007.2.6)
【手続補正１】
【補正対象書類名】明細書
【補正対象項目名】特許請求の範囲
【補正方法】変更
【補正の内容】
【特許請求の範囲】
【請求項１】下式（Ｉ）
【化１】
2001031694.tif 000001
｛式中、Ｍ1が、元素周期表のＩＩＩ、ＩＶ、Ｖ又はＶＩ遷移族金属を意味し、
Ｒ7が、相互に同じでも異なってもよく、それぞれ水素原子、又はＳｉ（Ｒ16）3、（このＲ16は、相互に同じでも異なってもよく、それぞれが水素原子又はＣ1−Ｃ40基である）を意味し、あるいはＲ7がＣ1−Ｃ30基を意味するか、又は２個もしくはそれ以上のＲ7が相結合し、これらを結合するシクロペンタジエニル環の原子と共に、置換されていてもよいＣ4−Ｃ24環基を形成してもよく、
Ｒ8が、相互に同じでも異なってもよく、それぞれ水素原子、又はＳｉ（Ｒ16）3、（このＲ16は、相互に同じでも異なってもよく、それぞれが水素原子又はＣ1−Ｃ40基である）を意味し、あるいはＲ8がシクロペンタジエニル環と共にアザペンタレン、チオペンタレン又はホスファペンタレンを形成してよいＣ1−Ｃ30基を意味し、又は２個もしくはそれ以上のＲ8が相結合し、これらを結合するシクロペンタジエニル環の原子と共に、置換されていてもよいＣ4−Ｃ24環基を形成し、
Ｌ1が、相互に同じでも異なってもよく、それぞれ水素原子、Ｃ1−Ｃ10炭化水素基、ハロゲン原子又はＯＲ17、ＳＲ17、ＯＳｉ（Ｒ17）3、Ｓｉ（Ｒ17）3、Ｐ（Ｒ17）2又はＮ（Ｒ17）2（これらのＲ17はハロゲン原子、Ｃ1−Ｃ10アルキル基、ハロゲン化Ｃ1−Ｃ10アルキル基、Ｃ6−Ｃ20アリール基又はハロゲン化Ｃ6−Ｃ20アリール基である）を意味するか、又はＬ1が、トルエンスルホニル、トリフルオロアセチル、トリフルオロアセトキシル、トリフルオロメタンスルホニル、ノナフルオロブタンスルホニル又は２，２，２−トリフルオロエタンスルホニル基を意味し、
ｏが、１から４の整数を意味する。｝で表される化合物。
【請求項２】Ｍ1が、Ｔｉ、Ｚｒ又はＨｆを意味し、
Ｒ7が、相互に同じでも異なってもよく、Ｃ1−Ｃ25アルキル、ことにメチル、エチル、ｔｅｒｔ−ブチル、ｎ−ヘキシル、シクロヘキシル又はオクチル、Ｃ2−Ｃ25アルケニル、Ｃ3−Ｃ15アルキルアルケニル、Ｃ6−Ｃ24アリール、Ｃ4−Ｃ24ヘテロアリール、Ｃ4−Ｃ24アルキルヘテロアリール、Ｃ7−Ｃ30アリールアルキル、Ｃ7−Ｃ30アルキルアリール、フッ素化Ｃ1−Ｃ25アルキル、フッ素化Ｃ6−Ｃ24アリール、フッ素化Ｃ7−Ｃ30アリールアルキル、フッ素化Ｃ7−Ｃ30アルキルアリール又はＣ1−Ｃ12アルコキシを意味し、
Ｒ8が、相互に同じでも異なってもよく、Ｃ1−Ｃ25アルキル、ことにメチル、エチル、ｔｅｒｔ−ブチル、シクロヘキシル又はオクチル、Ｃ2−Ｃ25アルケニル、Ｃ3−Ｃ15アルキルアルケニル、Ｃ6−Ｃ24アリール、シクロペンタジエニル環と合体してアザペンタレン、チオペンタレン又はホスファペンタレンを形成するＣ5−Ｃ24ヘテロアリール、Ｃ7−Ｃ30アリールアルキル、Ｃ7−Ｃ30アルキルアリール、フッ素化Ｃ1−Ｃ25アルキル、フッ素化Ｃ6−Ｃ24アリール、フッ素化Ｃ7−Ｃ30アリールアルキル、フッ素化Ｃ7−Ｃ30アルキルアリール又はＣ1−Ｃ12アルコキシを意味し、
Ｌ1が、相互に同じでも異なってもよく、それぞれ水素原子、Ｃ1−Ｃ10アルキル、Ｃ6−Ｃ10アリール又はハロゲン原子を意味し、
ｏが２である、
ことを特徴とする請求項１の化合物。
【請求項３】 シクロペンタジエニル環の一方又は両方が置換されて、インデニル環を形成する、式（Ｉ）の非橋架けメタロセンであることを特徴とする、請求項１の化合物。
【請求項４】 上記インデニル環が、２−位、３−位、４−位、２，４，５−位、２，４，６−位、３，４，６−位、２，４，７−位又は２，４，５，６−位において、Ｃ1−Ｃ20基、ことにＣ1−Ｃ18アルキル基、Ｃ6−Ｃ18アリール、Ｃ4−Ｃ24ヘテロアリール又はＣ4−Ｃ24アルキルヘテロアリール（これらインデニル環の２個又はそれ以上の基が合体して環を形成してもよい）により置換されていることを特徴とする、請求項３の化合物。
【請求項５】 下式（ＩＩ）
【化２】
2001031694.tif 000002
｛式中、ＭがＴｉ、Ｚｒ又はＨｆを意味し、
Ｒ3とＲ5又はＲ4とＲ6が、相互に同じでも異なってもよく、それぞれ水素原子、Ｃ1−Ｃ20基、好ましくはＣ1−Ｃ18アルキル、ことにメチル、エチル、ｎ−ブチル、ｎ−ヘキシル、シクロヘキシル又はオクチル、Ｃ2−Ｃ10アルケニル、Ｃ3−Ｃ15アルキルアルケニル、Ｃ6−Ｃ18アリール、Ｃ4−Ｃ24ヘテロアリール、Ｃ4−Ｃ24アルキルヘテロアリール、Ｃ7−Ｃ20アリールアルキル、Ｃ7−Ｃ20アルキルアリール、フッ素化Ｃ1−Ｃ12アルキル、フッ素化Ｃ6−Ｃ18アリール、フッ素化Ｃ7−Ｃ20アリールアルキル又はフッ素化Ｃ7−Ｃ20アルキルアリールを意味し、
Ｒ7、Ｒ8が、相互に同じでも異なってもよく、それぞれ水素原子、ハロゲン原子、Ｃ1−Ｃ20基、好ましくは直鎖もしくは分岐Ｃ1−Ｃ18アルキル基、ことにメチル、エチル、ｔｅｒｔ−ブチル、シクロヘキシル、オクチル、Ｃ2−Ｃ10アルケニル、Ｃ3−Ｃ15アルキルアルケニル、Ｃ6−Ｃ18アリール（置換されていてもされていなくてもよい）、ことにフェニル、トリル、キシリル、ｔｅｒｔ−ブチルフェニル、エチルフェニル、ナフチル、アセナフチル、フェナントレニル又はアントラセニル、Ｃ5−Ｃ18ヘテロアリール、Ｃ7−Ｃ20アリールアルキル、Ｃ7−Ｃ20アルキルアリール、フッ素化Ｃ1−Ｃ12アルキル、フッ素化Ｃ6−Ｃ18アリール、フッ素化Ｃ7−Ｃ20アリールアルキル、フッ素化Ｃ7−Ｃ20アルキルアリールを意味するか、あるいは２個の基Ｒ7又はＲ8が合体して、置換されていてもいなくてもよい単環基もしくは多環基を形成してもよく、
Ｘがハロゲン原子、ことに塩素を意味し、
ｌ、ｌ′が、相互に同じでもよく、それぞれ０から４、好ましくは１又は２の整数、ことに１を意味する。｝で表される化合物。
【請求項６】 式中のＭが、ジルコニウムを意味し、
Ｒ3とＲ5又はＲ4とＲ6が、相互に同じでも異なってもよく、それぞれ、
下式
【化３】
2001031694.tif 000003
｛式中、Ｒ10、Ｒ11、Ｒ12、Ｒ13が、相互に同じでも異なってもよく、それぞれ水素原子、Ｃ1−Ｃ20基、好ましくは、Ｃ1−Ｃ18アルキル、ことにメチル、エチル、ｎ−ブチル、ｎ−ヘキシル、シクロヘキシル又はオクチル、Ｃ2−Ｃ10アルケニル、Ｃ3−Ｃ15アルキルアルケニル、Ｃ6−Ｃ18アリール、Ｃ4−Ｃ24ヘテロアリール、Ｃ4−Ｃ24アルキルヘテロアリール、Ｃ7−Ｃ20アリールアルキル、Ｃ7−Ｃ20アルキルアリール、フッ素化Ｃ1−Ｃ12アルキル、フッ素化Ｃ6−Ｃ18アリール、フッ素化Ｃ7−Ｃ20アリールアルキル、フッ素化Ｃ7−Ｃ20アルキルアリールを意味し、
Ｒ15が、Ｚが酸素もしくは硫黄の場合には存在せず、Ｚが窒素の場合には水素原子、Ｃ1−Ｃ20基、好ましくはＣ1−Ｃ18アルキル、ことにメチル、エチル、ｎ−ブチル、ｎ−ヘキシル、シクロヘキシル又はオクチル、Ｃ2−Ｃ10アルケニル、Ｃ3−Ｃ15アルキルアルケニル、Ｃ6−Ｃ18アリール、Ｃ4−Ｃ24ヘテロアリール、Ｃ4−Ｃ24アルキルヘテロアリール、Ｃ7−Ｃ20アリールアルキル、Ｃ7−Ｃ20アルキルアリール、フッ素化Ｃ1−Ｃ12アルキル、フッ素化Ｃ6−Ｃ18アリール、フッ素化Ｃ7−Ｃ20アリールアルキル又はフッ素化Ｃ7−Ｃ20アルキルアリールを意味する。｝で表されるＣ4−Ｃ24ヘテロアリールまたはＣ4−Ｃ24アルキルヘテロアリール、あるいは、
下式
【化４】
2001031694.tif 000004
｛式中、Ｒ10、Ｒ11、Ｒ12、Ｒ13、Ｒ14が、相互に同じでも異なってもよく、それぞれ水素原子、Ｃ1−Ｃ20基、好ましくは、Ｃ1−Ｃ18アルキル、ことにメチル、エチル、ｎ−ブチル、ｎ−ヘキシル、シクロヘキシル又はオクチル、Ｃ2−Ｃ10アルケニル、Ｃ3−Ｃ15アルキルアルケニル、Ｃ6−Ｃ18アリール、Ｃ4−Ｃ24ヘテロアリール、Ｃ4−Ｃ24アルキルヘテロアリール、Ｃ7−Ｃ20アリールアルキル、Ｃ7−Ｃ20アルキルアリール、フッ素化Ｃ1−Ｃ12アルキル、フッ素化Ｃ6−Ｃ18アリール、フッ素化Ｃ7−Ｃ20アリールアルキル、フッ素化Ｃ7−Ｃ20アルキルアリールを意味し、
Ｚが、周期表Ｖ又はＶＩ主族のヘテロ原子を意味する。｝で表されるＣ4−Ｃ24ヘテロアリールまたはＣ4−Ｃ24アルキルヘテロアリール
であることを特徴とする、請求項５の化合物。
【請求項７】Ｒ3とＲ5又はＲ4とＲ6が、相互に同じでも異なってもよく、それぞれ、
水素原子、又は
下式
【化５】
2001031694.tif 000005
｛式中、Ｒ10が、水素原子、Ｃ1−Ｃ18アルキル、ことにメチル、エチル、ｎ−ブチル、ｎ−ヘキシル、シクロヘキシル、オクチル又はフェニルを、
Ｒ11、Ｒ12が、それぞれ水素原子を、
Ｒ13が、金属と結合するインデニル基を、
Ｚが、酸素、窒素又は硫黄を、
Ｒ15が、Ｚが酸素もしくは硫黄の場合には存在せず、Ｚが窒素の場合には水素原子、メチル、エチル、ｎ−ブチル、ｎ−ヘキシル、シクロヘキシル又はオクチルを意味する。｝で表されるＣ4−Ｃ24ヘテロアリールまたはＣ4−Ｃ24アルキルヘテロアリール、あるいは、
下式
【化６】
2001031694.tif 000006
｛式中、Ｒ10が、水素原子、Ｃ1−Ｃ18アルキル、ことにメチル、エチル、ｎ−ブチル、ｎ−ヘキシル、シクロヘキシル、オクチル又はフェニルを、
Ｒ11、Ｒ12、Ｒ13が、それぞれ水素原子を、
Ｒ14が、金属と結合するインデニル基を、
Ｚが、酸素、窒素又は硫黄を、
Ｒ7、Ｒ8が、相互に同じでも異なってもよく、それぞれ水素原子、ハロゲン原子、Ｃ1−Ｃ20基、好ましくは直鎖もしくは分岐Ｃ1−Ｃ8アルキル基、ことにメチル、エチル、ｔｅｒｔ−ブチル、シクロヘキシル又はオクチル、Ｃ2−Ｃ6アルケニル、Ｃ3−Ｃ6アルキルアルケニル、Ｃ6−Ｃ18アリール（置換もしくは非置換）、ことにフェニル、トリル、キシリル、ｔｅｒｔ−ブチルフェニル、エチルフェニル、ナフチル、アセナフチル、フェナントレニル、アントラセニル、Ｃ5−Ｃ18ヘテロアリール、Ｃ7−Ｃ12アリールアルキル、Ｃ7−Ｃ12アルキルアリール、フッ素化Ｃ1−Ｃ8アルキル、フッ素化Ｃ6−Ｃ18アリール、フッ素化Ｃ7−Ｃ12アリールアルキル、フッ素化Ｃ7−Ｃ12アルキルアリールを意味する。｝で表されるＣ4−Ｃ24ヘテロアリールまたはＣ4−Ｃ24アルキルヘテロアリール
であることを特徴とする、請求項６の化合物。
【請求項８】請求項１から７のいずれか１項の化合物を、ポリオレフィンを製造するために使用する方法。
【請求項９】少なくとも１種類の請求項１から７のいずれか１項の化合物、少なくとも１種類の助触媒、及び少なくとも１種類の担体を含有する触媒組成物。
【請求項１０】更に、少なくとも１種類の添加剤を含有する、請求項９の触媒組成物。
【請求項１１】請求項１から７のいずれか１項の化合物を、請求項９又は１０の触媒組成物を製造するために使用する方法。
【請求項１２】請求項９又は１０の触媒組成物を、ポリオレフィン、ことにエラストマー特性を有するアタクチック−イソタクチック立体ブロックポリプロピレンを製造するために使用する方法。
【請求項１３】請求項９又は１０の触媒組成物の存在下に、単一もしくは複数のオレフィンを重合させることにより、ポリオレフィンを製造する方法。